(57)【特許請求の範囲】
【請求項１】
床面上のゴミを掻き上げ可能にする清掃用掻き上げブラシの上に清掃用粘着ロールを乗せてなる清掃具用ロール支持装置であって、
相対して互いに平行をなす第１側壁と第２側壁を備え、
第１側壁に突出長の長い第１突起を設けるとともに、第２側壁に突出長の短い第２突起を設け、第１側壁から第２突起の先端面までの距離ａを該ロールの長さＬより長く、第２側壁から第１突起の先端面までの距離ｂを該ロールの長さＬより短くし、該ロールの中空部の一端を第１突起に差し込んだ後に該ロールの中空部の他端を第２突起に差し込んで該ロールを両突起に支持可能にし、
第１突起の基部に規制突起を設け、第２突起の先端面から規制突起までの距離ｃを該ロールの長さＬより短くし、両突起に支持された該ロールの一端面を規制突起の先端面に対向させて衝合可能にし、両突起からの該ロールの脱落を防止可能にするとともに、
該掻き上げブラシが該ロールを押し上げて該ロールの一端面が規制突起の先端面に対向することとなる方向に該ロールを押圧可能にする清掃具用ロール支持装置。
【請求項２】
前記規制突起が、第１突起の周方向において離隔する２個のリブにより構成される請求項１に記載の清掃具用ロール支持装置。
【請求項３】
前記規制突起が、第１突起の周方向の一部を膨径化したものにより構成される請求項１に記載の清掃具用ロール支持装置。
【発明の詳細な説明】
【０００１】
【発明の属する技術分野】
本発明はロール支持装置に関する。
【０００２】
【従来の技術】
清掃具として、フレームに設けた支軸に粘着ロールを回動自在に支持し、床面上のゴミを粘着ロールの粘着面に吸着捕捉するものがある（実開平２−１２３６３）。
【０００３】
【発明が解決しようとする課題】
粘着ロールの交換や、粘着ロールの粘着シートを１周分剥離除去する等のため、粘着ロールを着脱するに際しては、粘着ロールを支軸に保持する手段をその都度脱着動する必要がある。
【０００４】
本発明の課題は、ロールを支持する構造を簡素化し、ロールの着脱作業性を向上することにある。
【０００５】
【課題を解決するための手段】
請求項１に記載の清掃具用ロール支持装置は、床面上のゴミを掻き上げ可能にする清掃用掻き上げブラシの上に清掃用粘着ロールを乗せてなる清掃具用ロール支持装置であって、相対して互いに平行をなす第１側壁と第２側壁を備え、第１側壁に突出長の長い第１突起を設けるとともに、第２側壁に突出長の短い第２突起を設け、第１側壁から第２突起の先端面までの距離ａを該ロールの長さＬより長く、第２側壁から第１突起の先端面までの距離ｂを該ロールの長さＬより短くし、該ロールの中空部の一端を第１突起に差し込んだ後に該ロールの中空部の他端を第２突起に差し込んで該ロールを両突起に支持可能にし、第１突起の基部に規制突起を設け、第２突起の先端面から規制突起までの距離ｃを該ロールの長さＬより短くし、両突起に支持された該ロールの一端面を規制突起の先端面に対向させて衝合可能にし、両突起からの該ロールの脱落を防止可能にするとともに、該掻き上げブラシが該ロールを押し上げて該ロールの一端面が規制突起の先端面に対向することとなる方向に該ロールを押圧可能にするようにしたものである。
【０００６】
【発明の実施の形態】
（第１実施形態）（図１〜図３）
清掃具１０は、図１、図２に示す如く、柄１１（不図示）の先端部に継手部１２（不図示）を介して支持アーム１３を結合し、支持アーム１３の両側アーム部１３Ａに支軸部１４を介してフレーム１５を前後方向に揺動自在に支持している。
【０００７】
フレーム１５の前部にはブラシからなる可撓掻き上げ体１６が回転軸１７を介して回動自在に支持され、フレーム１５の後部にはロール体からなる接触回転体１８が回転軸１９を介して回動自在に支持され、掻き上げ体１６と接触回転体１８は平行に並べられて配置される。掻き上げ体１６は、掻き上げ部１６Ａ（ブラシ部）とタイヤ部１６Ｂからなり、掻き上げ部１６Ａの掻き上げ径（ブラシ径）をタイヤ部１６Ｂのタイヤ径より大きくしている。接触回転体１８は、ロール状の接触部１８Ａとタイヤ部１８Ｂからなる。尚、接触回転体１８の接触部１８Ａには、その表面に凹凸部を設けても良い。凹凸部とは、接触部１８Ａのロール表面にリブや凸部、凹部、しぼ面等を設けたことをいう。
【０００８】
掻き上げ体１６と接触回転体１８の上には、それらに跨がる粘着ロール２１が後述するロール支持装置３０に支持される状態で乗せられ、粘着ロール２１は掻き上げ体１６と接触回転体１８の回転に連れ回る。フレーム１５の上部は粘着ロール２１の出し入れ口とされ、取外し可能な透明カバー１５Ａにより被覆される。粘着ロール２１は、粘着シートの巻取りロールの構成、又は表面が粘着性のエラストマーからなり、その表面を洗浄して再使用可能とする構成等を含む。本実施例の粘着ロール２１は、粘着シート２１Ａをコア２１Ｂに巻き回し、粘着シート２１Ａの粘着面を外側に向けて巻出し可能かつ切断可能にした巻取りロールにて構成される。
【０００９】
フレーム１５における掻き上げ体１６の後部には塵取部２３が支持されている。塵取部２３は、床面に接する底面部２３Ａと、掻き上げ体１６に隙間なく（又は隙間を介して）相対する曲面状（又は平面状）のすくい面部２３Ｂと、凹状のゴミ受け部２３Ｃを有する。塵取部２３は、フレーム１５に上下に揺動可能に支持され、自重により底面部２３Ａとすくい面部２３Ｂの最下端部を床面に隙間なく接し、掻き上げ体１６の掻き上げ部１６Ａが掻き上げるゴミを床面に沿う後方に逃がすことなく、その全てのゴミをすくい面部２３Ｂにより粘着ロール２１の側にガイドし、大きなゴミはゴミ受け部２３Ｃに送り込む。
【００１０】
清掃具１０による清掃動作は以下の通りなされる。
（１）柄１１の軸方向に加える操作力により清掃具１０を前進させ、掻き上げ体１６及び接触回転体１８を回動させ、同時に粘着ロール２１を連れ回り回転させる。
【００１１】
（２）掻き上げ体１６の掻き上げ部１６Ａが床面上のゴミを掻き上げると、このゴミは塵取部２３にガイドされて粘着ロール２１の側に送り出され、粘着ロール２１の粘着面に吸着捕捉される。
【００１２】
（３）粘着ロール２１の粘着面に捕捉されたゴミは、粘着ロール２１の回動とともに接触回転体１８の側に移動し、接触回転体１８により粘着ロール２１の粘着面に押付けられて固定化される。
【００１３】
（４）透明カバー１５Ａから粘着ロール２１の粘着面の全周に多量のゴミが捕捉されたことが視認されたら、カバー１５Ａを開いて粘着シート２１Ａの１周分を剥離除去し、新規粘着面を露出せしめた後、カバー１５Ａを閉じる。
【００１４】
しかるに、清掃具１０は粘着ロール２１のためのロール支持装置３０を以下の如くに構成している。
【００１５】
ロール支持装置３０は、フレーム１５に相対する第１側壁３１と第２側壁３２を備える。
【００１６】
ロール支持装置３０は、図３に示す如く、第１側壁３１に突出長の長い第１突起４１を設けるとともに、第２側壁３２に突出長の短い第２突起４２を設ける。両突起４１、４２は円筒半割状とされ、その筒面を下向き配置している。第１側壁３１から第２突起４２の先端面４２Ａまでの距離ａを粘着ロール２１の長さＬより長く（ａ＞Ｌ）、第２側壁３２から第１突起４１の先端面４１Ａまでの距離ｂを粘着ロール２１の長さＬより短く（Ｌ＞ｂ）している。これにより、粘着ロール２１を傾けて（図３の２点鎖線）粘着ロール２１の中空部２２の一端を第１突起４１の奥まで差し込んだ後に、粘着ロール２１の中空部２２の他端を第２突起４２に干渉することなく該第２突起４２の前面に位置付けた状態で、粘着ロール２１を第２突起４２の側に移動してその中空部２２の他端を第２突起４２に差し込み、粘着ロール２１を両突起４１、４２に支持可能とする。粘着ロール２１は、両突起４１、４２へのこの支持状態で、下向き方向には掻き上げ体１６と接触回転体１８の上に乗り、上向き方向で両突起４１、４２により支持される。
【００１７】
ロール支持装置３０は、図３に示す如く、第１突起４１の奥側の基部の周方向の一部、本実施形態では掻き上げ体１６に臨む側の一部に規制突起４３を設ける。本実施形態では、第１突起４１の周方向において離隔する２個のリブ４３Ａ、４３Ｂにより規制突起４３を構成しているが、第１突起４１の周方向の一部を膨径化して規制突起４３とするものでも良い。第２突起４２の先端面４２Ａから規制突起４３までの距離ｃを粘着ロール２１の長さＬより短く（Ｌ＞ｃ）している。これにより、両突起４１、４２に支持された粘着ロール２１の一端面を規制突起４３の先端面４３Ｃに対向させて衝合可能にし、粘着ロール２１の中空部２２の他端が第２突起４２から外れる長さ方向の移動を制限し、両突起４１、４２からの粘着ロール２１の脱落を防止可能とする。
【００１８】
尚、第１突起４１の端面視（図２）で、第１突起４１と規制突起４３（リブ４３Ａ、４３Ｂ）の外接円４４の直径をＤとし、粘着ロール２１の中空部２２の内径をｄとするとき、ｄ＞Ｄとすることにより、粘着ロール２１の前述の着脱時に、粘着ロール２１の中空部２２の一端を第１突起４１の奥まで差し込み可能としている。また、第１突起４１の端面視（図２）で、第１突起４１と規制突起４３の外接円４４が接触回転体１８に対してなす間隔をｅとし、粘着ロール２１の厚みをｔとするとき、ｅ＞ｔとすることにより、粘着ロール２１の前述の着脱時に、粘着ロール２１を接触回転体１８に干渉することなく第１突起４１に差し込み可能としている。
【００１９】
ロール支持装置３０は、本実施形態において、規制突起４３を掻き上げ体１６に臨む側に設けるものとし、掻き上げ体１６を粘着ロール押圧手段としている。掻き上げ体１６は、両突起４１、４２に支持された粘着ロール２１の表面にブラシを弾性撓み状態で圧接させて該粘着ロール２１の一端面が規制突起４３の先端面４３Ｃに対向することとなる方向に該粘着ロール２１を押圧する。これにより、粘着ロール２１の一端面を安定的に規制突起４３の先端面４３Ｃに対向させて衝合可能とする。
【００２０】
本実施形態によれば以下の作用がある。
▲１▼粘着ロール２１の中空部２２の一端を第１突起４１に差し込んだ後に粘着ロール２１の中空部２２の他端を第２突起４２に差し込んで該粘着ロール２１を両突起４１、４２に単に引掛け支持するものであり、粘着ロール２１を支持するための手段としての両突起４１、４２を固定構造にし、格別の可動部品を伴なわないから、構造簡素にして耐久性を向上できるし、粘着ロール２１の着脱作業性を向上できる。
【００２１】
▲２▼両突起４１、４２に支持された粘着ロール２１の一端面を規制突起４３の先端面４３Ｃに対向させて衝合可能とすることにより、粘着ロール２１の長さ方向の移動を制限し、粘着ロール２１の中空部２２の一端が第１突起４１の根元まで移動して該粘着ロール２１の中空部２２の他端が第２突起４２から外れることを防止する。即ち、両突起４１、４２からの粘着ロール２１の脱落を防止でき、粘着ロール２１は外れずに回転自在な状態で安定的に支持される。
【００２２】
▲３▼上述▲１▼により粘着ロール２１を容易に交換できるし、上述▲２▼により粘着ロール２１を安定的に支持した状態のまま粘着シートの使用済部分を容易に剥離除去できる。
【００２３】
▲４▼粘着ロール２１の通常装填状態では、掻き上げ体１６のブラシ（ロールを押圧する手段）により、粘着ロールの一端面が規制突起４３の先端面４３Ｃに対向することとなる方向に粘着ロール２１を押圧することにより、粘着ロール２１の一端面を確実に規制４３の先端面４３Ｃに対向させて衝合可能とし、上述▲２▼により粘着ロール２１の脱落防止の確実を図ることができる。
【００２４】
▲５▼尚、粘着ロール２１を上述▲４▼のブラシの押圧力に抗して該ブラシの側に押し動かせば、規制突起４３による粘着ロール２１の移動制限が解除され、粘着ロール２１の中空部２２の一端を第１突起４１の根元まで移動できるようになり、該粘着ロール２１の中空部２２の他端を第２突起４２から外すことができ、結果として粘着ロール２１を両突起４１、４２から外すことができる。
【００３２】
【発明の効果】
以上のように本発明によれば、ロールを支持する構造を簡素化し、ロールの着脱作業性を向上できる。
【図面の簡単な説明】
【図１】図１は清掃具を示す斜視図である。
【図２】図２は清掃具を示す横断面図である。
【図３】図３は粘着ロールの装填状態を示す模式図である。
【符号の説明】
３０  ロール支持装置
３１  第１側壁
３２  第２側壁
４１  第１突起
４２  第２突起
４３  規制突起
【図１】
0003613519.tif 000002
【図２】
0003613519.tif 000003
【図３】
0003613519.tif 000004